(57)【要約】【課題】本発明は、容器に収容されている液状の化粧品を流出して化粧を実施しようとするとき、外部キャップを取り外せば、昇降キャップが上昇すると共に流出口が開放され、ブラシに適当量の化粧液を流出させて使用し、使用後、外部キャップを結合すれば、昇降キャップが下降すると共に流出口が閉鎖され、化粧液の流出を遮断する化粧品容器を提供する。【解決手段】本発明による化粧品容器は、一側に開口部が形成され、前記開口部を通して収容部に化粧液を充填する容器と、前記容器の開口部と螺合され、化粧液の流路を提供するために下端の一部分に開放ホールが形成されて中央に開閉突起が突設されるパッキング体が中央の穴に嵌挿される下部キャップと、前記下部キャップの上部にバネによって支持されて昇降自在に結合され、前記パッキング体の空間部に挿入されて昇降時に軸管の下端部に前記パッキング体の開閉突起が挿脱されて流路が提供され、前記軸管の上部にブラシが形成される昇降キャップと、前記下部キャップの上部と螺合され、前記昇降キャップを下降固定させると共に前記ブラシを保護する外部キャップとを含むことを特徴とする。【選択図】図１【特許請求の範囲】
【請求項１】
一側に開口部が形成され、前記開口部を通して収容部に化粧液を充填する容器と、
前記容器の開口部と螺合され、化粧液の流路を提供するために中央に所定の深さで空間部が形成され、前記空間部の下端一部分に開放ホールが形成され中央に開閉突起が突設される下部キャップと、
前記下部キャップの上部にバネによって支持されて昇降自在に結合され、前記空間部に挿入されて昇降時に中央に形成されている軸管の下端部に前記下部キャップの開閉突起が挿脱されて流路が開閉され、前記軸管の上部にブラシが形成される昇降キャップと、
前記下部キャップの上部に螺合され、前記昇降キャップを下降固定させると共に前記ブラシを保護する外部キャップと、を含むことを特徴とする化粧品容器。
【請求項２】
一側に開口部が形成され、前記開口部を通して収容部に化粧液を充填する容器１と、
前記容器の開口部と螺合され、化粧液の流路を提供するために下端一部分に開放ホールが形成され中央に開閉突起が突設されるパッキング体が中央の穴に嵌挿される下部キャップと、
前記下部キャップの上部にバネによって支持されて昇降自在に結合され、前記パッキング体の空間部に挿入されて昇降時に軸管の下端部に前記パッキング体の開閉突起が挿脱されて流路が提供され、前記軸管の上部にブラシが形成される昇降キャップと、
前記下部キャップの上部に螺合され、前記昇降キャップを下降固定させると共に前記ブラシを保護する外部キャップと、を含むことを特徴とする化粧品容器。
【請求項３】
前記昇降キャップの軸管に形成されているブラシを集めるために、前記ブラシの上側に嵌設されて昇降キャップの上部に結合されるブラシカバーをさらに含むことを特徴とする請求項１または２に記載の化粧品容器。
【請求項４】
前記容器の開口部と螺合された前記下部キャップの結合状態が解除されないようにするため、前記容器の開口部の下部外周面と前記下部キャップの下部内周面にラッチギアがそれぞれ形成されることを特徴とする請求項１または２に記載の化粧品容器。
【発明の詳細な説明】
【技術分野】
【０００１】
本発明は、容器に収容された液状の化粧品を流出させて使用するための化粧品容器に関し、特に、化粧を実施しようとするとき、外部キャップを取り外せば昇降キャップが上昇すると共に流出口が開放され、ブラシに適当量の化粧液を流出させて使用し、使用後、外部キャップを結合すれば、昇降キャップが下降すると共に流出口が閉鎖され、化粧液の流出を遮断する化粧品容器に関する。
【背景技術】
【０００２】
一般に、液体ファンデーション、リップグロスなどのように流動性を有する液体状態の化粧品が収容される化粧品容器は、容器の開口部にブラシ部が一体に形成されており、化粧を実施するためには、前記容器を逆にしてブラシ部が下方に向かうようにしたり、または前記容器を収縮させて化粧液がブラシ部に供給されることにより化粧を実施した。
上述した一般の化粧品容器は、ブラシ部に流出される化粧液を適切に制御したり、使用しないときはこれの供給を遮断させる開閉手段が具備されていなかった。よって、前記化粧品容器を保管する際、化粧液がブラシを通して流出されないように注意して保管する必要があるという不都合があった。
【０００３】
上述した一般の化粧品容器の問題点を解決するための従来技術としての「液状体塗布具」が下記特許文献１に掲載されており、図６に前記従来技術による液体塗布具の結合断面図が示されている。
【０００４】
前記液状体塗布具１００は、塗布具本体１１０の内部に塗布剤が収容される貯溜タンク１２０を備えると共に、前記塗布具本体１１０の先端側には軸方向に平行にかつ先端方向に向かうように複数の繊維束であるブラシ部材１１１ａが植設された台座１１２を備え、前記貯溜タンク１２０に設けられる弁体１２２を用いて塗布部１１１のブラシ部材１１１ａに塗布剤を供給するようにされた液状体塗布具１００において、前記塗布部１１１には、貯溜タンク１２０から供給される塗布剤を遮蔽するとともに、前記塗布部１１１の先端側に一部供給可能とする液流路が形成された遮蔽体を備える。
【０００５】
前記液状体塗布具１００は、前記ブラシ部材１１１ａが植設された台座１１２の後方に形成されるパイプ１１３を通して前記貯溜タンク１２０の液状体が供給されるようになっており、前記貯溜タンク１２０が前方へ進められたとき、一定量の塗布剤が供給されるようになっている。
【０００６】
【特許文献１】日本特許出願第２００１-４０５７５号公報
【発明の開示】
【発明が解決しようとする課題】
【０００７】
ところで、前記液状体塗布具１００は、前記弁機構１２２の内部に設置された弁バネ１２２ａによって前後往復運動されるため、前記貯溜タンク１２０が前進した状態で固定されず直ちに後退して戻られる。よって、前記貯溜タンク１２０が前進されたとき、一定量の塗布剤が前記パイプ１１３に供給されてから、前記貯溜タンク１２０が後退すれば、前記パイプ１１３に流出されていた塗布剤が吸入されることにより、実際に前記ブラシ部材１１１ａに塗布される塗布剤の量が少なくなる。そこで、前記液状体塗布具１００を用いて充分の量の塗布剤を流出させるためには、前記貯溜タンク１２０と弁機構１２２を複数作動する必要があるという不都合があった。
【０００８】
さらに、前記液状体塗布具１００は、部品点数が多く構造が複雑しており、また、貯溜タンク１２０に化粧液を充填した後、前記貯溜タンク１２０を多数の部品と共に組立てる製造工程が複雑であるという問題があった。
【０００９】
本発明は、上述した問題点に解決するために案出されたもので、その目的は、ユーザがブラシ付き化粧品を使用するとき、外部キャップを分離及び結合する動作のみで、流路が開閉して液状の化粧品をブラシに流出させることにより使用することができる化粧品容器を提供することにある。
【００１０】
さらに、化粧品容器を、ブラシ及び開閉手段が一体に形成された蓋部と容器に分離及び結合されることにより、化粧品の製造工程時に、容器に化粧液を充填した後、前記蓋部を結合する工程のみで、化粧品を簡便にかつ迅速に製造することができる化粧品容器を提供することにある。
【課題を解決するための手段】
【００１１】
上記目的を達成すべく、本発明による化粧品容器は、一側に開口部が形成され、前記開口部を通して収容部に化粧液を充填する容器と、前記容器の開口部と螺合され、化粧液の流路を提供するために中央に所定の深さで空間部が形成され、前記空間部の下端一部分に開放ホールが形成され中央に開閉突起が突設される下部キャップと、前記下部キャップの上部にバネによって支持されて昇降自在に結合され、前記空間部に挿入されて昇降時に中央に形成されている軸管の下端部に前記下部キャップの開閉突起が挿脱されて流路が開閉され、前記軸管の上部にブラシが形成される昇降キャップと、前記下部キャップの上部に螺合され、前記昇降キャップを下降固定させると共に前記ブラシを保護する外部キャップと、を含むことを特徴とする。
【００１２】
また、本発明による化粧品容器は、一側に開口部が形成され、前記開口部を通して収容部に化粧液を充填する容器と、前記容器の開口部と螺合され、化粧液の流路を提供するために下端一部分に開放ホールが形成され中央に開閉突起が突設されるパッキング体が中央の穴に嵌挿される下部キャップと、前記下部キャップの上部にバネによって支持されて昇降自在に結合され、前記パッキング体の空間部に挿入されて昇降時に軸管の下端部に前記パッキング体の開閉突起が挿脱されて流路が提供され、前記軸管の上部にブラシが形成される昇降キャップと、前記下部キャップの上部に螺合され、前記昇降キャップを下降固定させると共に前記ブラシを保護する外部キャップと、を含むことを特徴とする。
【００１３】
ここで、前記化粧品容器は、前記昇降キャップの軸管に形成されたブラシを集めるために、前記ブラシの上側に嵌設して昇降キャップの上部に結合されるブラシカバーをさらに含むことを特徴とする。
【００１４】
また、前記容器の開口部に螺合された前記下部キャップの結合状態が解除されないようにするため、前記容器の開口部の下部外周面と前記下部キャップの下部内周面にラッチギアがそれぞれ形成されていることを特徴とする。
【発明の効果】
【００１５】
本発明によれば、化粧品容器は、ユーザがブラシ付き化粧品を使用するとき、外部キャップを分離及び結合する操作のみで、昇降キャップを昇降させて前記昇降キャップの軸管に形成されている流出口にパッキング体の開閉突起が挿脱されることにより、流路の開閉が行われるようにする開閉手段が備えられている化粧品容器を提供し、ブラシ及び開閉手段が一体に形成された蓋部と容器のように２つの構成に区分されるようにして、化粧品の製造工程時に、前記容器に化粧液を充填した後、前記蓋部を結合する工程のみで、化粧品を簡便にかつ迅速に製造することができる化粧品容器を提供する。
【００１６】
ここで、前記開閉手段は、前記容器の開口部と螺合され、化粧液の流路を提供するために、下端一部分に開放ホールが形成され、中央に開閉突起が突設されているパッキング体が中央の穴に嵌挿されている下部キャップと前記下部キャップの上部にバネによって支持されることにより昇降自在に結合し、前記パッキング体の空間部に挿入されて昇降時に軸管の下端部に前記下部キャップの開閉突起が挿脱され流路が提供され、前記軸管の上部にブラシが形成される昇降キャップから構成されている。
【発明を実施するための最良の形態】
【００１７】
以下、本発明の好ましい実施例を、添付図面に基づき詳細に説明する。
図１は、本発明の第１実施例による化粧品容器の分解斜視図であり、前記化粧品容器は、容器１、下部キャップ２、パッキング体３、バネ４、昇降キャップ５、ブラシ６、ブラシカバー７及び外部キャップ８から構成される。
【００１８】
前記下部キャップ２の中央に形成された穴には、前記パッキング体３が挿入されて一体に結合され、前記昇降キャップ５の中央に上側に突設される軸管５０には、前記ブラシ６が嵌合されて一体に結合され、前記ブラシ６が結合された後、前記昇降キャップ５の上側にブラシカバー７が結合される。
【００１９】
また、前記パッキング体３が結合された下部キャップ２と前記昇降キャップ５との間には、バネ４が介在された後、前記下部キャップ２の上部に前記昇降キャップ５が昇降自在に結合され、前記昇降キャップ５の昇降時に化粧液の流路である流出口５１を開閉させる開閉手段をなす。
【００２０】
よって、前記図１に示す構成は、容器１、外部キャップ８及び複数の構成が相互結合されて組立体をなす開閉手段のように、単純な構成に区分される。
【００２１】
以下、本発明の第１実施例による化粧品容器の各構成要素をさらに詳細に説明する。
前記容器１は、液状の化粧品を収容する手段であり、前記容器１の内部には、化粧液が充填または収容される収容部１０が形成されており、上部には、開口部１１が形成されている。
【００２２】
また、前記開口部１１の外周面には、前記下部キャップ２と螺合される雄ネジ部１２が形成されており、前記開口部１１の下部外周面には、ラッチギア１３が円周方向に突設されている。
【００２３】
ここで、前記ラッチギア１３は、前記下部キャップ２が螺合されたとき、前記下部キャップ２が反対方向に回転され結合状態が解除されないようにする結合解除防止手段であり、前記開口部１１のラッチギア１３と対応するように、前記下部キャップ２の下部内周面にもラッチギア２５が形成されている。
【００２４】
前記容器１は、合成樹脂で成形し、前記容器１を収縮させることにより化粧液が容易に流出されるようにするために、柔軟性の合成樹脂で成形することが好ましい。また、前記容器１は、収容部１０に充填または収容された化粧液の状態を外部から視認できるように透明に形成することも可能である。
【００２５】
前記下部キャップ２は、前記容器１の開口部１１と螺合されることにより容器１を密閉させ、前記開閉手段の主要構成であるパッキング体３、バネ４及び昇降キャップ５が固着する基部の役割を果たす。前記下部キャップ２の中央には、前記パッキング体３が嵌挿される穴が形成されている。
【００２６】
前記下部キャップ２の上部には、前記昇降キャップ５を内側に嵌挿し、前記外部キャップ８を外側に結合させるリーム部２０が形成されている。前記リーム部２０の内側には、前記昇降キャップ５が挿入されて昇降されるように所定の深さで凹部２２が形成されており、前記リーム部２０の上部内周面には、前記昇降キャップ５が上昇するとき、前記昇降キャップ５の外周面に形成されている係止突起５４に接触して上昇範囲を制限する係止部２６が突設されている。また、前記リーム部２０の外周面には、前記外部キャップ８と螺合される雄ネジ部２１が形成されている。
【００２７】
ここで、前記凹部２２の深さは、前記昇降キャップ５の上昇時に前記昇降キャップ５の軸管５０の下端部が前記パッキング体３の開閉突起３２から完全に分離され、流出口５１が最大に確保できる程度の深さに形成することが好ましい。
【００２８】
前記下部キャップ２の下部内周面には、図２Ａに示すように、前記容器１の雄ネジ部１２と螺合されるように雌ネジ部２４が形成されており、内周面の下端には、前記容器１のラッチギア１３と対応するようにラッチギア２５が形成されており、前記下部キャップ２の内側下部面には、前記下部キャップ２が容器１と螺合されたとき、前記容器１の開口部１１の内周面と密着するようにガイドリーム部２３が下方に突設されている。
【００２９】
前記パッキング体３は、前記下部キャップ２の中央に形成されている穴に嵌挿され前記容器１に収容されている化粧液の流路を提供する手段であり、中央に昇降キャップ５の軸管５０が挿入される空間部３０が形成されており、下端一部分に開放ホール３１が形成されている。また、前記パッキング体３の空間部３０の底面中央には、前記昇降キャップ５の軸管５０の下端部に挿脱されて流出口５１を開閉させる開閉突起３２が突設されている。また、前記パッキング体３の上端部外周面には、前記下部キャップ２の中央に形成されている穴に前記パッキング体３が挿入されたとき凹部２２上に安着するように、固着突起３３が形成されている。
【００３０】
ここで、前記パッキング体３の開放ホール３１は、前記昇降キャップ５の流出口５１が開放されたとき、前記容器１に収容されている化粧液が円滑に流出できる程度の断面積を有するように形成し、少なくとも前記パッキング体３の開放ホール３１の断面積が前記流出口５１の断面積より大きく形成することが好ましい。
【００３１】
本発明の第１実施例による化粧品容器における前記パッキング体３の開放ホール３１は、下端一部分（一側）にのみ形成されているが、これに限られず、図３Ａ及び図３Ｂに示すように、パッキング体３´の開放ホール３１´を下端両側に形成して実施することも可能である。
【００３２】
前記バネ４は、前記パッキング体３が結合されている下部キャップ２と前記昇降キャップ５との間に介在されて前記昇降キャップ５を昇降させる手段であり、前記下部キャップ２の上部に結合されている前記外部キャップ８が取り外されるとき、弾性力によって前記バネ４が膨脹され、前記昇降キャップ５を上昇させると共に、前記昇降キャップ５の流出口５１を開放させる。
【００３３】
前記昇降キャップ５は、前記パッキング体３が結合されている前記下部キャップ２の上部に前記バネ４によって支持すると共に昇降自在に結合され、前記昇降キャップ５の昇降時に前記昇降キャップ５の軸管５０の下端部に前記パッキング体３の開閉突起３２が挿脱されることにより、前記パッキング体３の開放ホール３１と前記軸管５０の流出口５１による流路を開閉する手段である。
【００３４】
よって、前記昇降キャップ５の中央には、前記昇降キャップ５の上部及び下部を貫通する軸管５０が垂直に設けられており、前記軸管５０の中央には、化粧液が流出される流出口５１が形成されている。また、前記軸管５０の上部は、ブラシ６が容易に挿入できるよう、上端部側に行くほど外径が減少するようにテーパ加工されており、前記軸管５０の下部は、前記パッキング体３の空間部３０に密着して挿入されるように、前記空間部３０の内径と前記軸管５０の下部外径が同一に、または公差余裕以下に形成されている。
【００３５】
前記昇降キャップ５の外周面には、前記下部キャップ２の凹部２２に挿入された状態で前記下部キャップ２のリーム部２０に設けられている係止部２６によって前記昇降キャップ５の上昇高さが制限されることにより、前記昇降キャップ５の離脱を防止する係止突起５４が形成されている。また、前記昇降キャップ５の軸管５０周囲の上部面には、環状のリーム部５２が突設されており、前記リーム部５２の外周面には、前記ブラシカバー７の内側面に形成されている結合突起７１が係止されるように、結合溝５３が形成されている。よって、前記昇降キャップ５の上部面は、前記リーム部５２を境界にして外側上部面と、前記ブラシ６のプランジ６１が安着する内側上部面に区分される。
【００３６】
前記昇降キャップ５の中央に設けられている軸管５０の上部には、前記ブラシ６が嵌合して一体に結合または取付けられる。
【００３７】
ここで、前記ブラシ６を前記軸管５０に取付ける方法は、前記昇降キャップ５のリーム部５２の内周面に固定突起５５を形成して前記ブラシ６が前記軸管５０に嵌合された時、前記ブラシ６のプランジ６１の上端部が前記固定突起５５に係止されることにより、前記ブラシ６を固着する。前記固定突起５５によって固定された前記ブラシ６の固定力を向上させるために、前記ブラシ６の下端部または内側空間部６０に接着剤を塗布し、これを前記昇降キャップ５の内側上部面に取付けることも可能である。
【００３８】
また、前記ブラシ６を前記軸管５０に結合する他の方法は、前記ブラシ６の下端部または内側空間部６０に接着剤を塗布し、前記軸管５０及び昇降キャップ５の内側上部面にこれを取付けたり、または、前記ブラシ６の下端部と前記昇降キャップ５の内側上部面を熱融着させて相互取付ける。
【００３９】
前記ブラシ６は、前記昇降キャップ５に設けられている軸管５０の流出口５１を通して流出される化粧液を吸収することにより化粧を実施する手段であり、多発毛、フロック（ｆｌｏｃ）などを適切な形態に成形して製作する。前記ブラシ６の上端部は、通常のブラシ６の形態のように尖設されており、前記ブラシ６の下端部は、前記昇降キャップ５の内側上部面に安着するようにプランジ６１が形成されており、下部面を通して軸管５０が挿入されるように内部に空間部６０が形成されている。
【００４０】
前記ブラシカバー７は、前記ブラシ６の上側に嵌設されて前記昇降キャップ５の上部に結合されて前記ブラシ６の上部を集める手段であり、前記ブラシカバー７の下部は、前記昇降キャップ５のリーム部５２の外側に結合されるための内径をなしており、前記ブラシカバー７の上部は、前記ブラシ６の上部を集める穴７０が形成されており、上部に行くほど小さな口径を有するように円錐状に形成されている。
【００４１】
前記ブラシカバー７の内周面下部には、前記昇降キャップ５の結合溝５３に係止される結合突起７１が円周方向に突設されており、前記ブラシカバー７の外周面上部には、前記外部キャップ８が前記下部キャップ２の上部に螺合されるとき、前記外部キャップ８の内周面に形成されている段差部（図２Ａの８１）に係止されて前記昇降キャップ５を下降させる突出部７２が形成されている。
【００４２】
前記外部キャップ８は、化粧を実施しないとき、前記ブラシ６を保護するために前記下部キャップ２に結合される蓋であり、下部が開放された円筒状に形成されている。
ここで、前記外部キャップ８が前記下部キャップ２に結合されれば、前記外部キャップ８の段差部８１によって前記昇降キャップ５を下降固定させることになり、これと同時に前記昇降キャップ５の軸管５０の下端部に前記パッキング体３の開閉突起３２が挿入されることにより、流路である流出口５１が遮断される。
【００４３】
前記外部キャップ８の内周面下部には、前記下部キャップ２の上部と螺合されるように雌ネジ部８０が形成されており、前記雌ネジ部８０の上側には、前記ブラシカバー７の突出部７２と接触して前記昇降キャップ５を下降させる段差部８１が形成されている。
【００４４】
図２Ａは、本発明の第１実施例による化粧品容器の流路が閉鎖された状態の結合断面図である。
図２Ａに示す化粧品容器は、下部キャップ２、パッキング体３、バネ４、昇降キャップ５、ブラシ６、ブラシカバー７及び外部キャップ８が結合された蓋部と容器１に区分され、最終的に前記容器１に化粧液を充填した後、前記蓋部を結合することにより、化粧品製造工程を終了する。
【００４５】
以下、図２Ａを参照して前記蓋部が組立てられる過程を説明し、前記昇降キャップ５を下降固定させて前記昇降キャップ５の流出口５１が閉鎖された状態を説明する。
【００４６】
まず、前記下部キャップ２の中央に形成されている穴に前記パッキング体３を嵌挿する。その後、前記昇降キャップ５の軸管５０に前記ブラシ６を嵌合した後、前記ブラシ６の下端部が前記昇降キャップ５の軸管５０とリーム部５２との間に形成されている内側上部面に取付または結合されるようにする。この後、前記ブラシ６の上側に前記ブラシカバー７を嵌設することにより、前記ブラシ６の上部が集められるようにし、前記ブラシカバー７と前記昇降キャップ５が結合されれば、前記ブラシカバー７の内周面下部に形成されている結合突起７１が前記昇降キャップ５のリーム部５２の外周面に形成されている結合溝５３に係止されることにより結合される。
【００４７】
前記昇降キャップ５、ブラシ６及びブラシカバー７の結合が完了すれば、前記下部キャップ２の凹部２２上に前記バネ４を位置させた後、前記下部キャップ２の上部に前記昇降キャップ５を結合する。このとき、前記昇降キャップ５の外周面に形成されている係止突起５４は、前記下部キャップ２のリーム部２０の内周面に形成されている係止部２６に係止されて外部に離脱しないようにし、前記昇降キャップ５の軸管５０の下端部は、前記パッキング体３の空間部３０に密着されるように挿入される。
【００４８】
前記昇降キャップ５の結合が完了すれば、前記外部キャップ８を前記下部キャップ２の上部に結合し、このとき、前記外部キャップ８の内周面に形成されている段差部８１が前記ブラシカバー７の突出部７２に接触されることにより前記昇降キャップ５を下降させ、前記昇降キャップ５の下降が完了すれば、前記外部キャップ８と前記下部キャップ２が螺合される。
【００４９】
上述した順に前記蓋部の組立が完了すれば、前記容器１の収容部１０に化粧液を充填し、この後前記蓋部を前記容器１に結合することにより化粧品の製造を完了し、このとき、前記容器１の開口部１１と螺合される前記蓋部、すなわち、下部キャップ２が完全に結合されれば、前記下部キャップ２の内周面下部に形成されているラッチギア２５と前記容器１の開口部１１の下部に形成されているラッチギア１３が互いに係止して逆方向に回転されなくなる。
【００５０】
図２Ａのように本発明による化粧品容器の組立が完了すれば、前記化粧品の容器を携帯または保管するために、化粧液の流路を閉鎖させた状態になる。
【００５１】
前記外部キャップ８が前記下部キャップ２の上部に螺合されれば、前記外部キャップ８の段差部８１によって前記バネ４が収縮されると共に、前記ブラシカバー７と一体に結合されている前記昇降キャップ５が下降する。このとき、前記昇降キャップ５の軸管５０の下端部は、前記下部キャップ２に結合されている前記パッキング体３の空間部３０に挿入された状態で下降し、前記パッキング体３の開閉突起３２が前記軸管５０の下端部に挿入されることにより、前記昇降キャップ５の流出口５１が閉鎖される。
【００５２】
図２Ｂは、本発明の第１実施例による化粧品容器の流路が開放された状態の結合断面図である。
前記化粧品容器に収容されている化粧液を流出させて化粧を実施するためには、図２Ｂのように前記化粧品容器の外部キャップ８を取り外した後、ユーザが前記容器１を収縮させたり、または、容器１が上側に向かうように逆にすれば、前記流出口５１を通して化粧液が流出され、化粧を実施することができるようになる。
【００５３】
ここで、前記下部キャップ２に螺合されている前記外部キャップ８を取り外せば、前記昇降キャップ５の軸管５０に形成されている流出口５１が開放されると共に、化粧液の流路が確保される。以下、これについてさらに詳細に説明する。
【００５４】
前記下部キャップ２に螺合されている前記外部キャップ８を取り外せば、前記外部キャップ８によって下降固定されていた前記昇降キャップ５の固定力が解除されると同時に、前記バネ４が膨脹されると共に前記昇降キャップ５を上昇させ、前記昇降キャップ５は、前記昇降キャップ５の外周面に形成されている係止突起５４が前記下部キャップ２のリーム部２０の内周面に形成されている係止部２６に接触されると共に、上昇が阻止される。
【００５５】
このとき、前記昇降キャップ５の軸管５０の下端部に挿入されていた前記パッキング体３の開閉突起３２が離脱されると共に、前記軸管５０の流出口５１と前記パッキング体３の開放ホール３１が互いに通るようになって流路が確保される。
【００５６】
よって、前記化粧品容器を用いて化粧を実施するためには、前記外部キャップ８を取り外す動作のみで、簡便に化粧液をブラシ６に流出させて化粧を実施することができる。
【００５７】
図４Ａは、本発明の第２実施例による化粧品容器の流路が閉鎖された状態の結合断面図、図４Ｂは、本発明の第２実施例による化粧品容器の流路が開放された状態の結合断面図であり、本発明の第１実施例と重なる内容に対する記載は省略する。
【００５８】
図４Ａ及び図４Ｂに示す本発明の第２実施例による化粧品容器は、本発明の第１実施例におけるパッキング体３が下部キャップ２に一体に形成されていることを除いた他の構成及び組立方法は同様である。
【００５９】
本発明の第２実施例による前記下部キャップ２では、化粧液の流路を提供するために、凹部２２の中央に所定の深さで空間部２７が形成されており、前記空間部２７の下端一部分には開放ホール２８が形成されており、前記空間部２７の底面中央には前記昇降キャップ５の軸管５０の下端部に挿脱される開閉突起２９が突設されている。
【００６０】
ここで、前記空間部２７の深さは、本発明の第１実施例によるパッキング体３の深さと同様に形成され、図３Ａ及び図３Ｂに示す前記第１実施例の変形例のように、前記空間部２７の開放ホール２８を下端両側に形成して実施することも可能である。
【００６１】
本発明の第２実施例による化粧品容器の流路の開閉方法は、上述した第１実施例と同様であるため、これに対する説明は省略する。
図５は、本発明による化粧品容器の容器と蓋部が分離された状態の斜視図であり、前記容器１の収容部１０に化粧液を充填するために分離された状態が示されている。
【００６２】
本発明による化粧品容器は、化粧液を容器１に充填し、これを蓋部で結合することにより化粧品の製造を完了することと同様に、簡便にかつ迅速に化粧品を製造することができるように創案したもので、図２Ａの説明部分に記述された方法で、下部キャップ２、パッキング体３、バネ４、昇降キャップ５、ブラシ６、ブラシカバー７及び外部キャップ８が結合されてなる蓋部が組立てられ、容器１が具備されれば前記容器１に化粧液を充填し、前記蓋部を前記容器１の開口部１１と螺合することにより組立を施し、このとき、前記蓋部を最後まで回転させれば、前記下部キャップ２の下部内周面と前記容器１の開口部１１の下部外周面にそれぞれ形成されているラッチギア１３、２５が互いに噛合されることにより、前記下部キャップ２が逆方向に回転されて解除されないようになり、前記蓋部と前記容器１の結合状態が堅く保持される。
【図面の簡単な説明】
【００６３】
【図１】本発明の第１実施例による化粧品容器の分解斜視図である。
【図２Ａ】本発明の第１実施例による化粧品容器の流路が閉鎖された状態の結合断面図である。
【図２Ｂ】本発明の第１実施例による化粧品容器の流路が開放された状態の結合断面図である。
【図３Ａ】本発明の第１実施例の変形例によるパッキング体の斜視図である。
【図３Ｂ】図５の底面図である。
【図４Ａ】本発明の第２実施例による化粧品容器の流路が閉鎖された状態の結合断面図である。
【図４Ｂ】本発明の第２実施例による化粧品容器の流路が開放された状態の結合断面図である。
【図５】本発明による化粧品容器の容器と蓋部が分離されている状態の斜視図である。
【図６】従来の液体塗布具を示す断面図である。
【符号の説明】
【００６４】
１    容器
２    下部キャップ
３，３´    パッキング体
４    バネ
５    昇降キャップ
６    ブラシ
７    ブラシカバー
８    外部キャップ
１０    収容部
１１    開口部
１２，２１    雄ネジ部
１３，２５    ラッチギア
２０    リーム部
２２    上部面
２３    ガイドリーム部
２４，８０    雌ネジ部
２６    係止部
２７，３０    空間部
２８，３１，３１´    開放ホール
２９，３２，３２´    開閉突起
３３    固着突起
５０    軸管
５１    流出口
５２    リーム部
５３    結合溝
５４    係止突起
５５    固定突起
６０    空間部
６１    プランジ
７０    穴
７１    結合突起
７２    突出部
８１    段差部
【図１】
2008506509.tif 000002
【図２Ａ】
2008506509.tif 000003
【図２Ｂ】
2008506509.tif 000004
【図３Ａ】
2008506509.tif 000005
【図３Ｂ】
2008506509.tif 000006
【図４Ａ】
2008506509.tif 000007
【図４Ｂ】
2008506509.tif 000008
【図５】
2008506509.tif 000009
【図６】
2008506509.tif 000010
【国際調査報告】
2008506509.tif 000011
2008506509.tif 000012